(57)【特許請求の範囲】
【請求項１】
本体部と、撮像レンズと、液晶画面を備えた液晶表示部と、前記液晶表示部を支持する２軸ヒンジ部と、を備えるカメラであって、
前記２軸ヒンジ部は、前記液晶表示部を前記本体部の側面に収納可能に開閉する第１軸と、該ヒンジ部を軸として該液晶表示部を回動可能に回転する第２軸とからなり、
前記液晶表示部は、前記２軸ヒンジ部に対して上下非対称に配置され、且つ、前記本体部の側面に前記液晶画面を内側に向けて収納可能とすると共に該表示画面を外側に向けて収納可能であり、
前記液晶画面を内側に向けて収納したときには、該液晶表示部の底面は前記本体部の底面より上方にあって前記本体部の側面の一部を露出させ、前記液晶画面を外側に向けて収納したときには、該液晶表示部の底面と前記本体部の底面とが略同一面に配置され、
前記本体部はグリップ部を備え、該グリップ部は前記液晶画面を内側に向けて収納した時に露出する前記側面の一部に設けられていることを特徴とするカメラ。
【発明の詳細な説明】
【０００１】
【発明の属する技術分野】
本発明は、２軸の回動および回転が可能な液晶表示部を有するビデオカメラに関し、特に液晶表示部の配置に関する。
【０００２】
【従来の技術】
近年、電子カメラやスチルやムービーの小型ビデオカメラ等（以下カメラ）において液晶表示部（以下ＬＣＤ部）が搭載されたカメラが多く発売されている。特に、ファインダー機能も兼用するため本体部に対して回動可能なＬＣＤ部を備えたカメラが多く発売されている。
【０００３】
通常は図５の従来図に示すように、撮影レンズ１の光軸に対して概略平行に配置されたＬＣＤ部３を垂直に回動可能な第１軸と、光軸に平行な軸に対して回転可能な第２軸を有する二軸ヒンジ２から成り、撮影時にファインダーとして使用する場合は、第１軸を回動し光軸に対して概略垂直にＬＣＤ部３を配置する。
【０００４】
又、撮影箇所により第２軸を回動させて、ＬＣＤ部３を所望の配置にする。又、再生時は第２軸を１８０゜回転させ本体部４と平行に第１軸を回動させ、再生画をＬＣＤ部３の画面に表示させる。
【０００５】
撮影時のホールディングのためにグリップ部６が配置されている。グリップ部６と干渉しないようにＬＣＤ部３が配置されている。従来、ＬＣＤ部３は２軸ヒンジ２に対して上下対称に配置されている。再生時は、ＬＣＤ部３を１８０゜反転させＬＣＤ画面５を表に出すわけであるが、そのとき画面を見やすい角度に自由に調整するためヒンジ２に対して厚み方向を非対称にして、前面に出っ張らせるように配置している。以上が一般的な上記カメラの使用方法であり、２軸の組み合わせにより様々な使いかたが実現できる。又、未使用時は、液晶画面が本体側に収納され、液晶表示面を保護している。
【０００６】
【発明が解決しようとする課題】
上記の様に、２軸の回動及び回転可能なＬＣＤ部を備えたカメラは様々な良い点があり、上記機構を備えたカメラは比較的大きな形状のカメラの場合や、ＬＣＤ部が小さい形状ではあまり問題とならなかった。
【０００７】
しかしながら、カメラが小型化しＬＣＤ部が大型化するにつれて、再生画を見る場合などの卓上においた場合は、ＬＣＤ部の配置により不安定になり、より小型化が進むと正姿勢を保てないという問題があった。又、小型化によってＬＣＤ部がグリップ部と干渉するという問題も発生した。
【０００８】
従来の再生時には、本体部４の小型化に伴いＬＣＤ部３と本体部４の重量比が縮まり、正姿勢を保てなくなり倒れてしまうという現象が発生するようになる。本発明の目的は、本体部に対してＬＣＤ部が重い小型カメラに対しても、安定した据え置きができ、主に再生時のＬＣＤ部配置において安定した姿勢が保てるビデオカメラを提供する。
【０００９】
【課題を解決するための手段】
本発明は、本体部と、撮像レンズと、液晶画面を備えた液晶表示部と、前記液晶表示部を支持する２軸ヒンジ部と、を備えるカメラであって、前記２軸ヒンジ部は、前記液晶表示部を前記本体部の側面に収納可能に開閉する第１軸と該ヒンジ部を軸として該液晶表示部を回動可能に回転する第２軸とからなり、前記液晶表示部は、前記２軸ヒンジ部に対して上下非対称に配置され、且つ、前記本体部の側面に前記液晶画面を内側に向けて収納可能とすると共に該表示画面を外側に向けて収納可能であり、前記液晶画面を内側に向けて収納したときには、該液晶表示部の底面は前記本体部の底面より上方にあって前記本体部の側面の一部を露出させ、前記液晶画面を外側に向けて収納したときには、該液晶表示部の底面と前記本体部の底面とが略同一面に配置され、前記本体部はグリップ部を備え、該グリップ部は前記液晶画面を内側に向けて収納した時に露出する前記側面の一部に設けられていることを特徴とするカメラに関する。
【００１１】
上記構成によれば、カメラ本体に比較して大型なＬＣＤ部を備えたカメラにおいても、再生時にＬＣＤ部を反転した状態で安定したカメラ姿勢を保持することができる。
【００１２】
【発明の実施の形態】
以下、図面を参照して本発明の良好な実施形態を説明する。
図１は本発明の電子カメラの実施例の側面から見た構成概略図である。図２はは本発明の第１実施例で（ａ）はＬＣＤ画面が本体側に向いている状態であり、（ｂ）はＬＣＤ画面が外側に向いている状態である。図３は本発明の第２実施例で、（ａ）はＬＣＤ画面が本体側に向いている状態であり、（ｂ）はＬＣＤ画面が外側に向いている状態である。図４は第２実施例における効果（ａ）から（ｂ）へ切り替える途中の状態を示す斜視図である。
【００１３】
図において、１は撮影レンズ、２は二軸ヒンジ、３はＬＣＤ部、４は本体部、５はＬＣＤ画面、６はグリップ部、７はＬＣＤグリップ部である。
【００１４】
図１は、ＬＣＤ部３が可動可能なカメラの構成概略図である。通常ＬＣＤ部３は撮影レンズ１の光軸に対して概略平行に取り付けられており、ＬＣＤ画面５は、本体部４側に隠れるように配置されている。
【００１５】
次に、図２（ａ）で示している第１実施例では、２軸ヒンジ２に対して、ＬＣＤ部３を上下非対称に配置する。そのとき、デザイン上、上端部は本体部４とできるだけ接するように配置する。又、下端部はグリップ部６と干渉をしないように、本体部４の下端より上方に配置する。再生時、ＬＣＤ部３を１８０゜反転させてＬＣＤ画面５を表に出したとき、図２（ｂ）に示すように、本体部４の下端面とＬＣＤ部３の下端面が、ほぼ同高さになるようにＬＣＤ部３を２軸ヒンジ２に対して非対称に配置する。これによって再生時、安定感が増しＬＣＤ部を前面に配置すればするほど、安定する。
【００１６】
図３は、本発明の第２実施例である。図３（ａ）に示すように、非対称に配置されたＬＣＤ部３の下端面にＬＣＤグリップ部７を追加し、よりよいホールド感を実現することも可能である。このとき、ＬＣＤグリップ部７の下端面と本体部４の下端面とを概略合わせることにより、図４のように、撮影時のビューファインダーとして利用するような、ＬＣＤ部３を垂直に配置した場合にも安定した姿勢を保つことが出来る。図３（ｂ）は、本体部４の下端面とＬＣＤ部３の下端面が、ほぼ同高さになるようにＬＣＤ部３を２軸ヒンジ２に対して非対称に配置している。
【００１７】
【発明の効果】
以上説明したように本発明の構成ならびに方法によれば、ＬＣＤ部を画像再生装置として使用する場合、据置に対して安定感のある小型ビデオカメラを提供できる。
【図面の簡単な説明】
【図１】本発明の電子カメラの第１の実施例を示す構成概略図。
【図２】図１のカメラの側面図
【図３】本発明の第２実施例を示す構成概略図
【図４】図３のカメラのＬＣＤ部を開いた状態を示す図
【図５】従来のカメラの構成概略図
【符号の説明】
１  撮影レンズ
２  二軸ヒンジ
３  ＬＣＤ部
４  本体部
５  ＬＣＤ画面
６  グリップ部
７  ＬＣＤグリップ部
【図１】
0003600719.tif 000002
【図２】
0003600719.tif 000003
【図３】
0003600719.tif 000004
【図４】
0003600719.tif 000005
【図５】
0003600719.tif 000006